(57)【要約】      （修正有）【課題】常温揮散性薬剤を含み構造がシンプルなファンを回転させて長期間にわたり害虫防除効果を奏する実用的な薬剤揮散装置、ならびにこれを用いた害虫防除方法の提供。【解決手段】エムペントリン、テフラメトリン及びフッ素置換ベンジルアルコールエステル化合物から選ばれた１種又は２種以上の常温揮散性ピレスロイド系薬剤６０〜１６００ｍｇを、２枚〜８枚羽根を有する有孔ファン２に含浸させ、モーター３を用いて５０〜２０００ｒｐｍの速度で回転させるとともに、前記ファンから薬剤を１時間当たり０．０１〜２．０ｍｇの割合で揮散させるようになした薬剤揮散装置１、及びこれを用いた害虫防除方法。【選択図】図１
2004229658.tif 000002
【特許請求の範囲】
【請求項１】
エムペントリン、テフラメトリン及び一般式（Ｉ）
【化１】
2004229658.tif 000007
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物から選ばれた１種又は２種以上の常温揮散性ピレスロイド系薬剤６０〜１６００ｍｇを、２枚〜８枚羽根を有する有孔ファンに含浸させ、モーターを用いて５０〜２０００ｒｐｍの速度で回転させるとともに、前記ファンから薬剤を１時間当たり０．０１〜２．０ｍｇの割合で揮散させるようになしたことを特徴とする薬剤揮散装置。
【請求項２】
有孔ファンが、プラスチック樹脂を０〜２０％含んでもよいセルロース基材からなり、かつその目付（ｇ／ｍ2）を厚さ（ｍｍ）で除したパラメーターで示した時、１００〜５００（ｇ／ｍ2・ｍｍ）の範囲にあることを特徴とする請求項１に記載の薬剤揮散装置。
【請求項３】
有孔ファンが、連続発泡処理を施したポリオレフィン系プラスチック樹脂からなることを特徴とする請求項１に記載の薬剤揮散装置。
【請求項４】
常温揮散性ピレスロイド系薬剤を含浸させた有孔ファンを所定時間回転させた後、該回転を所定時間休止させるサイクルを繰り返し、該薬剤を間欠的に揮散せしめるようになしたことを特徴とする請求項１ないし３のいずれかに記載の薬剤揮散装置。
【請求項５】
１０ｍ3以下の空間において、エムペントリン、テフラメトリン及び一般式（Ｉ）
【化２】
2004229658.tif 000008
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物から選ばれた１種又は２種以上の常温揮散性ピレスロイド系薬剤６０〜１６００ｍｇを、２枚〜８枚羽根を有する有孔ファンに含浸させ、モーターを用いて５０〜２０００ｒｐｍの速度で回転させるとともに、前記ファンから薬剤を１時間当たり０．０１〜２．０ｍｇの割合で揮散させて害虫を防除することを特徴とする害虫防除方法。
【発明の詳細な説明】
【技術分野】
【０００１】
本発明は、ファン式の薬剤揮散装置及びこれを用いた害虫防除方法に関するものである。
【背景技術】
【０００２】
害虫、例えば蚊や蚋などを駆除するために、薬剤を閉鎖空間（建築物や自動車の室内、アウトドアスポーツにおけるテント内など）全体に揮散、放出させる薬剤揮散方法として、熱エネルギーを利用した蚊取線香や電気蚊取マット、液体式電気蚊取（リキッド）が一般的である。一方、電源として電池を用い、常温で薬剤含浸体にファン等の風をあてて薬剤を揮散、放出させるファン式薬剤揮散装置も携帯用として実用化されている。しかしながら、後者のファン式薬剤揮散装置のうち、薬剤含浸体を装置に固定しファンの風力のみで薬剤を揮散させるタイプのものは揮散が十分効率的とはいえない。
【０００３】
ファン式薬剤揮散装置の薬剤揮散効率を高めるために、薬剤含浸体を回転させようとする提案もある。例えば、特開平５−６８４５９号公報において、揮散性薬剤、好ましくはエムペントリンをファンに保持させ該ファンを回転させることによって揮散性薬剤を気中に拡散させる拡散方法が記載されている。しかしながら、薬剤を含浸させるファンの材質として、ポリ塩化ビニルやエチレン−メチルメタクリレートなどのプラスチック樹脂が好適に使用されているため、薬剤がファン内部に取り込まれ表面への移行がスムーズに起こらない結果、長期間にわたって効率的な揮散性能や防除効果を示しえなかった。
一方、本発明者らは、特開２００１−２４７４０６号公報において、粒状の薬剤含浸体を収納するカートリッジをモーターで回転させ、その遠心力とファンによる風力によって薬剤を効率的に揮散、放出させる薬剤揮散方法を開示した。この方式は、揮散性能や害虫防除効果に優れ極めて有用性の高いものであるが、薬剤含浸体を収納する回転体としてのカートリッジを必要とし、特に洋服タンスやクローゼットなどの衣料防虫用途として構造がシンプルとは言えない面があった。
【特許文献１】特開平５−６８４５９号公報
【特許文献２】特開２００１−２４７４０６号公報
【発明の開示】
【発明が解決しようとする課題】
【０００４】
本発明は、常温揮散性薬剤を含浸させたファンの回転により薬剤を気中に拡散させるタイプで、構造がシンプルであり、特に洋服タンスやクローゼットなどの衣料防虫用途において長期間にわたり優れた害虫防除効果を奏する実用的な薬剤揮散装置、ならびにこれを用いた害虫防除方法を提供することを目的とする。
【課題を解決するための手段】
【０００５】
上記課題を解決するため、本発明者らは、常温揮散性薬剤を、２枚〜８枚羽根を有する有孔ファンに含浸させるとともに、所定のモーター回転速度でファンを回転させ、所定の割合でファンから薬剤を揮散せしめることによって目的の薬剤揮散装置、及びこれを用いた害虫防除方法が得られることを知見し、本発明を完成した。
【０００６】
すなわち、本発明は、上記課題を解決するために、次のような構成を採用する。
（１）エムペントリン、テフラメトリン及び一般式（Ｉ）
【化１】
2004229658.tif 000003
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物から選ばれた１種又は２種以上の常温揮散性ピレスロイド系薬剤６０〜１６００ｍｇを、２枚〜８枚羽根を有する有孔ファンに含浸させ、モーターを用いて５０〜２０００ｒｐｍの速度で回転させるとともに、前記ファンから薬剤を１時間当たり０．０１〜２．０ｍｇの割合で揮散させるようになした薬剤揮散装置。
（２）有孔ファンが、プラスチック樹脂を０〜２０％含んでもよいセルロース基材からなり、かつその目付（ｇ／ｍ2）を厚さ（ｍｍ）で除したパラメーターで示した時、１００〜５００（ｇ／ｍ2・ｍｍ）の範囲にある（１）に記載の薬剤揮散装置。
（３）有孔ファンが、連続発泡処理を施したポリオレフィン系プラスチック樹脂からなる（１）に記載の薬剤揮散装置。
（４）常温揮散性ピレスロイド系薬剤を含浸させた有孔ファンを所定時間回転させた後、該回転を所定時間休止させるサイクルを繰り返し、該薬剤を間欠的に揮散せしめるようになした（１）ないし（３）のいずれかに記載の薬剤揮散装置。
（５）１０ｍ3以下の空間において、エムペントリン、テフラメトリン及び一般式（Ｉ）
【化２】
2004229658.tif 000004
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物から選ばれた１種又は２種以上の常温揮散性ピレスロイド系薬剤６０〜１６００ｍｇを、２枚〜８枚羽根を有する有孔ファンに含浸させ、モーターを用いて５０〜２０００ｒｐｍの速度で回転させるとともに、前記ファンから薬剤を１時間当たり０．０１〜２．０ｍｇの割合で揮散させて害虫を防除する害虫防除方法。
【発明の効果】
【０００７】
本発明の薬剤揮散装置は、常温揮散性薬剤を含浸させた有孔ファンの回転により薬剤を気中に拡散させるタイプで、構造がシンプルであり電池の負荷も小さい。そして、これを用いた本発明の害虫防除方法によれば、洋服タンスやクローゼットなどのイガ、カツオブシムシなどの衣料害虫、また屋内の蚊や蚋、ハエ、ユスリカなどの各種害虫に対して長期間にわたり優れた害虫防除効果を示し、特に、適用空間が１０ｍ3以下の洋服タンスやクローゼットなどの衣料防虫用途において有用性が高い。
【発明を実施するための最良の形態】
【０００８】
本発明の薬剤揮散装置は、電源として電池（乾電池など）を使用したシンプルな構成とし、かつ効率的な薬剤揮散性能を確保するため薬剤含浸体とファンを兼用するシステムを採用する。そして、電池の負荷を抑え、通常、３ケ月〜１２ケ月、好ましくは６ケ月〜１２ケ月の長期間にわたりモーターの作動が可能で、しかも優れた害虫防除効果を維持する設計になっている。一般に、モーターの連続作動が基本であるが、電池の負荷を低減するために、例えばモーターを所定時間回転させた後、該回転を所定時間休止させるサイクルを繰り返し、薬剤を間欠的に揮散せしめるようにするのが好ましい。
【０００９】
本発明で用いられる常温揮散性薬剤としては、エムペントリン、テフラメトリン及び一般式（Ｉ）
【化３】
2004229658.tif 000005
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物があげられる。
【００１０】
一般式（Ｉ）で表される化合物の具体例としては、２，３，５，６−テトラフルオロベンジル−クリサンテマート（以後、化合物Ａと称す）、２，３，５，６−テトラフルオロベンジル−２，２−ジメチル−３−（１−プロペニル）シクロプロパンカルボキシレート（以後、化合物Ｂと称す）、２，３，５，６−テトラフルオロベンジル−２，２−ジメチル−３−（２，２−ジクロロビニル）シクロプロパンカルボキシレート（以後、化合物Ｃと称す）、４−メチル−２，３，５，６−テトラフルオロベンジル−クリサンテマート（以後、化合物Ｄと称す）、４−メチル−２，３，５，６−テトラフルオロベンジル−２，２−ジメチル−３−（１−プロペニル）シクロプロパンカルボキシレート（以後、化合物Ｅと称す）、４−メチル−２，３，５，６−テトラフルオロベンジル−２，２−ジメチル−３−（２，２−ジフルオロビニル）シクロプロパンカルボキシレート（以後、化合物Ｆと称す）、４−メトキシメチル−２，３，５，６−テトラフルオロベンジル−クリサンテマート（以後、化合物Ｇと称す）、４−メトキシメチル−２，３，５，６−テトラフルオロベンジル−２，２−ジメチル−３−（１−プロペニル）シクロプロパンカルボキシレート（以後、化合物Ｈと称す）、２，３，４，５，６−ペンタフルオロベンジル−２，２−ジメチル−３−（２−クロロ−２−トリフルオロメチルビニル）シクロプロパンカルボキシレート（以後、化合物Ｉと称す）、又は４−プロパルギル−２，３，５，６−テトラフルオロベンジル−２，２−ジメチル−３−（１−プロペニル）シクロプロパンカルボキシレート（以後、化合物Ｊと称す）をあげることができる。これらの化合物は一種類を使用してもよいし、又は二種類以上の化合物を組み合わせて使用してもよい。なお、一般式（Ｉ）で表される化合物には、その不斉炭素や二重結合に基づく光学異性体や幾何異性体が存在するが、これらの各々やそれらの任意の混合物の使用も本発明に含まれるのは勿論である。
【００１１】
本発明の薬剤揮散装置には、上記常温揮散性薬剤を含浸させた２枚〜８枚羽根を有する有孔ファンが付設される。すなわち、ファンに孔を設けることによって、ファン表面からの薬剤揮散に伴い、ファン内部に保持された薬剤を順次内部から表面へ徐々に移行させ、長期間にわたり効率的な揮散性能を維持する作用が付与される。好ましい有孔程度は、後記するファンの基材の材質にもよるが、例えば、セルロース基材の場合、有孔面積の表面積全体に対する比率が０．２〜１０％程度、一方、プラスチック樹脂の場合、連続発泡処理が施されて有孔状を呈しているものが適当である。
また、ファンの形状や大きさは、薬剤の拡散性が確保される限り何ら制限されず、もちろん羽根にひねりの角度をもたせることによって拡散性を向上させうる。なお、本発明では、「ファン」とは「羽根」を含めた「回転体」を意味し、例えば、羽根の切り込みは必ずしも中心部付近まで達していなくてもよく、中心部の羽根装着部と羽根とを含めたものをファンと称する。更に、羽根をプラスチック製枠体で補強するとともに、羽根の間に薬剤含浸スポークを放射状に装てんさせたような形状も本発明のファンに包含される。
【００１２】
有孔ファンを構成する基材としては、（１）プラスチック樹脂を０〜２０％含んでもよいセルロース基材、（２）連続発泡処理を施したポリオレフィン系もしくはポリウレタン系（好ましくはポリオレフィン系）有孔状プラスチック樹脂が好ましい。これに対し、ポリスチレン、ポリ塩化ビニルやエチレン−メチルメタクリレート、高密度ポリプロピレンなどの無孔プラスチック樹脂は、薬剤がファン内部に取り込まれ表面への移行がスムーズに起こり得ない。
【００１３】
セルロース基材は、パルプ、レーヨン、ビスコース等からなる紙又は不織布であって、かつその目付（ｇ／ｍ2）を厚さ（ｍｍ）で除したパラメーターで示した時、１００〜５００（ｇ／ｍ2・ｍｍ）の範囲にあるものがよい。
このパラメーターは、セルロース基材にあっては揮散性能と密接に関連し、試験の結果、１００〜５００（ｇ／ｍ2・ｍｍ）の範囲にあるものが好ましかった。すなわち、１００ｇ／ｍ2・ｍｍより小さいと薬剤の揮散性が高く、逆に、５００ｇ／ｍ2・ｍｍを超えると薬剤の揮散性が抑えられ調整が困難となる。
【００１４】
セルロース基材に混入されるプラスチック樹脂としては、ポリエチレンやポリプロピレンなどのポリオレフィン系樹脂、ポリエステル、ポリウレタン等、各種のものを使用できるが、ポリエチレンやポリプロピレンなどのポリオレフィン系樹脂を採用すれば、ファンの強度アップとともに、常温揮散性薬剤のファン内部から表面への移行速度を調節しえるのでより有用である。
【００１５】
本発明では、有孔ファン全体当たりに含浸される常温揮散性薬剤量は、６０〜１６００ｍｇの範囲に規定される。薬剤の含浸量が６０ｍｇより少ないと、害虫防除効力の持続性に不足を生じる場合がある。一方、含浸量の最大量は、セルロース基材の場合、１０００ｍｇを超えて吸液可能であるものの薬剤揮散性等を考慮して６００ｍｇ以下が好ましく、セルロース基材に比べて吸液能が劣るプラスチック樹脂基材についても６００ｍｇ以下が製造上有利である。
薬剤の含浸に際しては、必要に応じ溶剤、希釈剤、界面活性剤、分散剤、徐放化剤などを用い、また従来から知られている各種含浸手段を採用することができる。更に、前記薬剤含浸ファンに、安定剤、香料、着色剤、帯電防止剤などを適宜配合してもよく、また薬剤組成物に、揮散性能に支障をきたさない程度において、揮散性の高い他の殺虫、忌避成分（例えば、ヒノキチオール、カルボン、サフロール、シトロネロール、ケイ皮アルデヒドなどの防虫香料など）、殺ダニ剤、防黴剤、殺菌剤、消臭剤などを添加して多目的組成物とすることもできる。
【００１６】
本発明の薬剤揮散装置は、モーターの回転数を５０〜２０００ｒｐｍとし、有孔ファンからの薬剤揮散量を１時間当たり０．０１〜２．０ｍｇに規定する。すなわち、本発明で用いるモーターの仕様は、ＤＣ１．５Ｖ〜３．０Ｖ駆動で、５０〜２０００ｒｐｍの回転数を与えるものが適当であり、通常単３アルカリ電池２個が電源として装てんされる。そして、乾電池の消耗によりファンの回転が遅くなった時点をもって薬剤の揮散終了を表示するように設計される。モーターの回転数は、用いる常温揮散性ピレスロイド系薬剤の種類、目標とする１時間当たりの薬剤揮散量、有孔ファンの材質等を考慮して適宜決定すればよいが、汎用タイプの５００〜２０００ｒｐｍ仕様のものが経済的である。但し、例えば、セルロース基材に比べて吸液能が劣るプラスチック樹脂基材を有孔ファンとして用いる場合には、ファン表面付近に付着・保持された薬剤が使用初期で揮散し過ぎないように、回転数を１０００ｒｐｍ以下に設定するのがよい。
【００１７】
また、本発明の薬剤揮散装置では、有孔ファンの周囲にスリット状、メッシュ状などの保護バーを装着し、指などが回転するファンに触れないように設計される。また使用前に薬剤含浸ファンから薬剤が揮散することを防止するため、装置を遮蔽部材（例えば、非通気性フィルムなど）で包装し、このような遮蔽部材を使用直前に破袋するようにすればよい。
【００１８】
本発明では、常温揮散性薬剤を含浸させた有孔ファンを所定時間回転させた後、該回転を所定時間休止させるサイクルを繰り返し、該薬剤を間欠的に揮散せしめるようにするのが下記の理由から効率的である。
（１）  洋服タンスやクローゼットのような狭い密閉空間では、ファンの回転により揮散し
た薬剤が空間に蓄積し処理空間が有効薬剤濃度に達した後は、回転を休止させても有効薬剤濃度に近い値を維持できうること、
（２）常温揮散性薬剤のなかでもエムペントリンの如き高揮散性の薬剤を使用する場合、モーターの休止中においても薬剤の揮散が期待でき、ファンを間欠的に回転するだけで、空間内に生じる空気の対流が薬剤の拡散を高めえること。
所定の回転時間と所定の休止時間は、薬剤揮散装置が使用される場所、用途などによって適宜設定することができ、例えば１日に１時間オン／２３時間オフ、３時間オン／２１時間オフ、１２時間に３０分オン／１１．５時間オフ、１時間に１０分オン／５０分オフなどで行うことができる。
【００１９】
本発明の薬剤揮散装置は、シンプルな構造が好ましいが、上記間欠揮散のプログラムを制御するＣＰＵ（中央処理装置）やメモリーを内蔵したり、更に液晶による目視可能な（１）薬剤残量表示機能や（２）電池の残量表示機能を備えることもできる。
薬剤残量表示機能の制御方式としては種々可能であり、例えば所定量以上の電圧下でモーターが作動する際に固有の周波パルスを発振するＲＣ発振回路を内蔵し、この発振パルスの感知とこれに基づくモーター作動時間の計測、ならびに薬剤残量への変換を制御する方式を採用することができる。通常、メモリーを備え、タイマーのデータは電源を切っても消失しないように保存される。また、薬剤含浸体（ファン自体）の取替え後にリセットスイッチを押せば、モーター作動時間の計測プログラムがリセットされる。
【００２０】
こうして得られた本発明の薬剤揮散装置は、常温揮散性薬剤を含浸させた有孔ファンの回転により薬剤を効率的に気中に拡散させることができ、しかも構造がシンプルで電池の負荷も小さい。そして、これを用いた本発明の害虫防除方法によれば、洋服タンスやクローゼットなどのイガ、カツオブシムシなどの衣料害虫、また屋内の蚊や蚋、ハエ、ユスリカなどの各種害虫に対して長期間にわたり優れた害虫防除効果を示し、特に、適用空間が１０ｍ3以下の洋服タンスやクローゼットなどの衣料防虫用途において有用性が高い。
【００２１】
次に、具体的実施例ならびに試験例に基づいて、本発明の薬剤揮散装置、及びこれを用いた害虫防除方法を更に詳細に説明する。
【実施例１】
【００２２】
図１は本発明の薬剤揮散装置の一実施例の断面図を示す。
薬剤揮散装置１は、常温揮散性薬剤・化合物Ｅ［４−メチル−２，３，５，６−テトラフルオロベンジル−２，２−ジメチル−３−（１−プロペニル）シクロプロパンカルボキシレート］２００ｍｇを含浸・混入させた有孔６枚羽根ファン２［材質：紙、有孔面積比率：１％、重量：４．７ｇ、目付：１１５０ｇ／ｍ2、厚さ：２．８ｍｍ、目付／厚さパラメーター：４１０ｇ／ｍ2・ｍｍ］と、回転数が１０００ｒｐｍのモーター３と、１．５Ｖの単３アルカリ乾電池（４）２個を備えている。モーター３を回転させるとファン２により遠心力と風力が生じ、上面吸気口５から流入した空気は装置側面の排気口６を経て流出するが、この空気の流れにのってファン２に保持させた薬剤は空中に放散される。なお、外表面に付設されている７は電源スイッチ、８はパイロットランプである。
【００２３】
６ケ月用の本発明薬剤揮散装置を、衣類が多数収納された６ｍ3のクローゼットで使用したところ、１時間当たりの薬剤揮散量は０．０３ｍｇであった。遠心力と風力の作用でクローゼット内の薬剤拡散性にすぐれ、６ケ月にわたりイガ、コイガ、カツオブシムシなどの衣料害虫の防除に有効であった。なお、およそ６ケ月経過時点でモーターの回転が極端に遅くなったので、ファンと乾電池を新たに交換して更に半年間装置を使用した。
【実施例２】
【００２４】
図２は本発明の薬剤揮散装置の他の実施例で用いる有孔ファンの平面図を示す。
本実施例の薬剤揮散装置１は、図２に示す如く、レーヨン９０％とポリプロピレン１０％からなる４枚羽根ファン２［有孔面積比率：０．５％、重量：４ｇ、目付：５００ｇ／ｍ2、厚さ：２．０ｍｍ、目付／厚さパラメーター：２５０ｇ／ｍ2・ｍｍ］に、プラスチック製の枠体９を取り付けたものを用い、また、「回転１時間オン／２３時間オフ」の間欠制御タイマー（図示せず）を設置した以外は、実施例１の装置に準じて作製した。なお、常温揮散性薬剤としてエンペントリン１０００ｍｇを含浸させた。
【００２５】
１２ケ月用の本発明薬剤揮散装置を、衣類が多数収納された８ｍ3のクローゼットで使用した。間欠制御プログラムにより１日に１時間ファンが作動し、その間の薬剤揮散量は０．８ｍｇであったが、本薬剤揮散装置の場合、ファンの回転が休止中においても一部エムペントリンはファンから揮散した。ファンの作動は間欠的にもかかわらず薬剤の拡散性向上に寄与し、１２ケ月にわたり衣料害虫の防除に有効であった。また、乾電池の消費電力が小さく、使用期間中乾電池を交換する必要がなかったので利便性にも優れた。
【実施例３】
【００２６】
図３は本発明の薬剤揮散装置の更に別の実施例で用いる有孔ファンの平面図を示す。
本実施例の薬剤揮散装置１は、図３に示す如く、ポリプロピレン製の羽根１０に外周枠１１を取り付け、羽根１０の間に連続発泡ポリプロピレン製スポーク１２を放射状に装てんしたものを用い、また、「回転３時間オン／２１時間オフ」の間欠制御タイマー（図示せず）を設置した以外は、実施例１の装置に準じて作製した。なお、常温揮散性薬剤として化合物Ｆ［４−メチル−２，３，５，６−テトラフルオロベンジル−２，２−ジメチル−３−（２，２−ジフルオロビニル）シクロプロパンカルボキシレート］２４０ｍｇを含浸させた。
【００２７】
１２ケ月用の本発明薬剤揮散装置を、衣類が多数収納された６ｍ3のクローゼットで使用したところ、１時間当たりの薬剤揮散量は０．１ｍｇであった。本薬剤揮散装置１は、羽根１０による風がスポーク１２から薬剤を効率的に拡散させるため、間欠的な作動においても１２ケ月にわたり優れた衣料害虫防除効果を示した。
【実施例４】
【００２８】
実施例１及び実施例２に準じ、単３乾電池２個（計３Ｖ）を用いた６ケ月用の各種薬剤揮散装置を作製した。
６ｍ3のクローゼットで６ケ月間使用し、定期的に衣類上にイガ幼虫を放飼して薬剤揮散装置の食害防止効果を調べた。結果は、○、△、×で評価し、併せて表１に示した。
【００２９】
【表１】
2004229658.tif 000006
【００３０】
本発明の薬剤揮散装置は、６ケ月間の長期にわたり優れた害虫防除効果を示し、比較例６の従来の薬剤保持体固定タイプに比べて極めて効率的な揮散性能を奏することが認められた。なお、有孔ファンの材質がセルロース基材の場合、目付/厚さパラメーターは、１００〜５００ｇ／ｍ2・ｍｍの範囲が好ましく、またポリオレフィン系プラスチック樹脂を２０％まで混入することによって薬剤揮散性の徐放化を調節できること、更に、有孔ファンの材質がプラスチック樹脂のものについては、連続発泡処理を施したポリオレフィン系樹脂が好ましいことも明らかとなった。
これに対し、比較例１や比較例２のように、ファンの材質としてポリスチレンや高密度ポリプロピレンのような無孔プラスチック樹脂を採用したものは、薬剤の揮散性が劣り害虫防除効果が低かった。また、薬剤の含浸量が６０ｍｇ未満の薬剤揮散装置（比較例３）は、害虫防除効果の持続性が不足した。更に、比較例４のように、ファンの回転速度が５０ｒｐｍ未満であると十分な揮散性能を奏しえず、一方比較例５の如く、２０００ｒｐｍを越えると害虫防除効果が長期間持続しなかった。
【産業上の利用可能性】
【００３１】
本発明の薬剤揮散装置は、薬剤を効率的に揮散、放出させるので、有効成分を適宜選択したうえで、例えば芳香、消臭、抗菌用途など、害虫防除以外の分野でも実用化が可能である。
【図面の簡単な説明】
【００３２】
【図１】本発明の薬剤揮散装置の一実施例の断面図を示す。
【図２】他の実施例で用いる有孔ファンの平面図を示す。
【図３】更に別の実施例で用いる有孔ファンの平面図を示す。
【符号の説明】
【００３３】
１：薬剤揮散装置、
２：セルロース製ファン、
３：モーター、
４：乾電池、
５：吸気口、
６：排気口、
７：電源スイッチ、
８：パイロットランプ、
９：枠体、
１０：羽根、
１１：外周枠
１２：スポーク
【図１】
2004229658.tif 000009
【図２】
2004229658.tif 000010
【図３】
2004229658.tif 000011